(57)【要約】【課題】モジュラコネクタに関し、コンタクト端子の端子挿通部からの脱離によるコンタクト端子の有害な変形等を確実に防止することを目的とする。【解決手段】ハウジング１に形成されたプラグ挿入口２内に複数のコンタクト端子３を保持したモジュラコネクタであって、  前記コンタクト端子３が挿通する端子挿通部４間に形成される隔壁５によりコンタクト端子３間を仕切る仕切部材６を有し、  各コンタクト端子３の自由端が折り曲げられて端子挿通部４からの離脱が規制される。【選択図】  図２
2007294147.tif 000002
【特許請求の範囲】
【請求項１】
ハウジングに形成されたプラグ挿入口内に複数のコンタクト端子を保持したモジュラコネクタであって、
前記コンタクト端子が挿通する端子挿通部間に形成される隔壁によりコンタクト端子間を仕切る仕切部材を有し、
各コンタクト端子の自由端が折り曲げられて端子挿通部からの離脱が規制されるモジュラコネクタ。
【請求項２】
前記仕切部材が基部から隔壁を櫛歯状に突設して形成されてハウジングに装着されるとともに、
コンタクト端子の自由端部が隣接するコンタクト端子側に向けて折り曲げられる請求項１記載のモジュラコネクタ。
【請求項３】
前記仕切部材の端子挿通部が全周に渡って閉じられた小開口により形成されるとともに、各コンタクト端子の自由端部はモジュラプラグ挿入時における移動方向に折り曲げられて係止折り曲げ部とされ、
かつ、仕切部材は、コンタクト端子のモジュラプラグ挿入時における移動方向に移動自在な請求項１記載のモジュラコネクタ。
【請求項４】
前記コンタクト端子は、端子挿通部内で係止折り曲げ部による係止が解除しない範囲内で移動自在である請求項３記載のモジュラコネクタ。
【発明の詳細な説明】
【技術分野】
【０００１】
本発明は、モジュラコネクタに関するものである。
【背景技術】
【０００２】
モジュラプラグをプラグイン接続可能なモジュラコネクタとしては、特許文献１記載のものが知られている。この従来例において、モジュラコネクタは、ハウジング内に複数のコンタクト端子を片持梁状に並べて形成される。モジュラプラグ挿入開口始端側の屈曲端から奥側に延びるコンタクト端子は、自由端をハウジングに形成されたスリット状の端子挿通部に挿通させることにより位置規制され、コンタクト端子間の接触が防止される。
【特許文献１】特開平９-１６１８８１号公報
【発明の開示】
【発明が解決しようとする課題】
【０００３】
しかし、上述した従来例において、コンタクト端子の自由端は端子挿通部に単に挿通させているだけのために、端子挿通部からの脱離を完全に防止できないという欠点がある。コンタクト端子の端子挿通部からの脱離は、例えば、モジュラプラグを斜め方向に抜去する等、コンタクト端子に横方向の力が負荷されることにより発生しやすく、当該力の負荷によって、細線状で高い剛性を望めないコンタクト端子は一旦湾曲状に弾性変形して自由端部が端子挿通部から脱離する。自由端が一旦端子挿通部から完全に脱離して端子挿通部間を仕切る隔壁の正面壁に当接してしまうと、自力で端子挿通部内に復帰することは不可能であるために、以後、隣接するコンタクト端子との接触等が恒久化し、モジュラコネクタが使用不能になってしまう。
【０００４】
本発明は、以上の欠点を解消すべくなされたものであって、コンタクト端子の端子挿通部からの脱離によるコンタクト端子の有害な変形等を確実に防止することのできるモジュラコネクタの提供を目的とする。
【課題を解決するための手段】
【０００５】
ハウジング１には端子挿通部４を隔壁５により仕切った仕切部材６が配置され、プラグ挿入口２に並べて配置される各コンタクト端子３は端子挿通部４を挿通した後、自由端部において隣接するコンタクト端子３側に折り曲げられる。コンタクト端子３に形成される係止折り曲げ部９は、仕切部材６の隔壁５に正対し、コンタクト端子３に湾曲方向の負荷が与えられて自由端が端子挿通部４をすり抜けようとした場合には、隔壁５に係止して端子挿通部４からの離脱が防止される。
【０００６】
コンタクト端子３が狭ピッチで、自由端部を隣接する他のコンタクト端子３側に折り曲げると、隣接するコンタクト端子３に接触する虞がある場合には、係止折り曲げ部９に例えば合成樹脂材をディッピングして絶縁処理が行われる。
【０００７】
また、係止折り曲げ部９における隣接するコンタクト端子３との接触を防止するためには、係止折り曲げ部９を上方、すなわち、モジュラプラグ８を挿入した際にコンタクト端子３の自由端が移動する方向に形成することもできる。この場合、端子挿通部４は係止折り曲げ部９が脱離しないような十分に小さな小開口により形成され、モジュラプラグ８挿入によるコンタクト端子３の移動は、コンタクト端子３間を連結する仕切部材６全体の移動により保障される。
【０００８】
仕切部材６は、コンタクト端子３の移動を完全に規制するような端子挿通部４を備えて形成することも可能であるが、係止折り曲げ部９が脱離しない範囲内でコンタクト端子３間の相対移動を許容するように構成することもできる。このように、コンタクト端子３間の相対移動を許容すると、モジュラプラグ８側端子の高さにばらつきがある場合であっても、各コンタクト端子３は許容される範囲内で弾性変形してばらつきを吸収し、モジュラプラグ８側端子に接触することができる。
【発明の効果】
【０００９】
本発明によれば、コンタクト端子の端子挿通部からの脱離によるコンタクト端子の有害な変形等を確実に防止することができる。
【発明を実施するための最良の形態】
【００１０】
図１（ａ）に示すように、モジュラコネクタは、合成樹脂材等の絶縁材料により形成され、正面部にプラグ挿入口２を開口させたハウジング１と、ハウジング１に固定されるコンタクト端子３を備える。ハウジング１は、カバー１ａに端子保持部材１ｂを連結して形成され、上記コンタクト端子３は予め端子保持部材１ｂに固定されてサブアッセンブルされる。
【００１１】
端子保持部材１ｂはカバー１ａに連結した状態でプラグ挿入口２の底壁を構成し、コンタクト端子３は、一端がプラグ挿入口２の底壁に固定された後、下方に折り曲げられて実装基板への実装用端子として使用される。また、コンタクト端子３は、端子保持部材１ｂへの固定部からプラグ挿入口２の奥行き方向（以後、「後方」）に折り返される。
【００１２】
図１（ｂ）に示すように、モジュラプラグ８をプラグ挿入口２内に押し込むと、モジュラプラグ８のレバー状操作片８ａに形成された係止突起８ｂがハウジング１側の抜け止め突部１ｃに弾発的に係止し、以後、モジュラプラグ８の抜去が規制される。なお、図１において１ｄはモジュラプラグ８の差し込み側ストローク終端を決定するためのストッパを示す。
【００１３】
モジュラプラグ８を差し込み側ストローク終端まで挿入すると、ハウジング１への固定部を固定端として片持梁状に支持されたコンタクト端子３は、モジュラプラグ８側の端子８ｃに押し付けられて固定端から弾性変形した後、弾性復帰力によりモジュラプラグ８側の端子８ｃに圧接し、電気的導通が確保される。
【００１４】
９は係止折り曲げ部であり、図２（ｂ）に示すように、上記コンタクト端子３の自由端を隣接する他のコンタクト端子３側に折り曲げて形成される。係止折り曲げ部９の折り曲げ長さは、中央部に隣接端子側への湾曲変形を与えた状態で、容易に後述する端子挿通部４から脱落しない程度に設定される。係止折り曲げ部９が隣接端子に接触する虞があるときには、合成樹脂をディッピングにより被覆し、絶縁処理がなされる。
【００１５】
６は仕切部材で、ハウジング１外壁に形成された装着開口１ｅから挿入して固定される。ハウジング１内壁には、図外の位置決め手段が形成され、仕切部材６の装着姿勢が維持される。この仕切部材６は、図２（ｃ）に示すように、基部７から複数の隔壁５を櫛歯状に突設させた板状部材であり、隔壁５間のピッチがコンタクト端子３間の配列ピッチに合致する。
【００１６】
したがってこの実施の形態において、カバー１ａに端子保持部材１ｂを連結した後、仕切部材６を挿入すると、隔壁５により各コンタクト端子３は仕切られ、隔壁５間の端子挿通部４毎に１本のコンタクト端子３が収容される。この状態でモジュラプラグ８の斜め抜去等が行われてコンタクト端子３に湾曲方向の力が負荷されても、係止折り曲げ部９が端子挿通部４から脱離することがないために、コンタクト端子３への負荷が解除されると、コンタクト端子３は弾性復元力により原姿勢に復帰する。
【００１７】
図３、４に本発明の他の実施の形態を示す。なお、この実施の形態の説明において、上述した実施の形態と実質的に同一の構成要素は、図中に同一符号を付して説明を省略する。
【００１８】
図４（ａ）に示すように、この実施の形態において、端子保持部材１ｂに固定されるコンタクト端子３の自由端は、隣接端子間の接触を防止するために、上方に折り曲げられて係止折り曲げ部９とされ、各コンタクト端子３の自由端部には、仕切部材６がサブアッセンブル状態で連結される。
【００１９】
仕切部材６の端子挿通部４は図４（ｂ）、（ｃ）に示すように、矩形形状をなし、係止折り曲げ部９と、端子挿通部４の高さ寸法は、図３（ｂ）に示すように、コンタクト端子３が端子挿通部４の下端縁に移動した際にも、係止折り曲げ部９の隔壁５裏面からの係止状態解除が発生しないように設定される。
【００２０】
また、仕切部材６には被ガイド部６ａが設けられる。この実施の形態において、被ガイド部６ａは、プラグ挿入口２の奥行き壁方向に突設される舌片として形成される。一方、ハウジング１側には、上記被ガイド部６ａが摺動自在に嵌合可能な溝状のガイド部１ｆが形成され、端子保持部材１ｂを押し込んでカバー１ａに連結すると、ガイド部１ｆは被ガイド部６ａに嵌合し、以後、仕切部材６全体が上下方向に摺動する。
【００２１】
したがってこの実施の形態において、モジュラプラグ８の斜め抜去等が行われてコンタクト端子３に湾曲方向の力が負荷されても、係止折り曲げ部９が端子挿通部４から脱離することがないために、コンタクト端子３への負荷が解除されると、コンタクト端子３は弾性復元力により原姿勢に復帰する。また、コンタクト端子３は、端子挿通部４内で所定量移動自在であるために、モジュラプラグ８の端子形成面に凹凸があっても、コンタクト端子３は個別に撓み、高さのばらつきを吸収する。
【図面の簡単な説明】
【００２２】
【図１】本発明を示す図で、（ａ）はモジュラプラグ挿入前の状態を示す断面図、（ｂ）はモジュラプラグ挿入後の状態を示す断面図である。
【図２】本発明の要部を示す図で、（ａ）は正面図、（ｂ）は（ａ）の２Ｂ-２Ｂ線断面図、（ｃ）は仕切部材の（ｂ）における２Ｃ-２Ｃ線断面図である。
【図３】本発明の他の実施の形態を示す図で、（ａ）はモジュラプラグ未挿入状態を示す断面図、（ｂ）はモジュラプラグ嵌合状態を示す断面図である。
【図４】図３の部品図で、（ａ）はコンタクト端子と仕切部材とのサブアッセンブリ体を示す断面図、（ｂ）は（ａ）の４Ｂ方向矢視図、（ｃ）は（ａ）の４Ｃ方向矢視図、（ｄ）はハウジングを示す正面図である。
【符号の説明】
【００２３】
１        ハウジング
２        プラグ挿入口
３        コンタクト端子
４        端子挿通部
５        隔壁
６        仕切部材
７        基部
８        モジュラプラグ
９        係止折り曲げ部
【図１】
2007294147.tif 000003
【図２】
2007294147.tif 000004
【図３】
2007294147.tif 000005
【図４】
2007294147.tif 000006